【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
電力線通信（ＰＬＣ）ネットワークからの干渉を補償するためのチャネル適応のための方法であって、
第１のＰＬＣネットワークのＰＬＣデバイスにおいて、前記第１のＰＬＣネットワークとＰＬＣ媒体を共有する第２のＰＬＣネットワークの送信からの干渉レベルの変動に少なくとも部分的に基づいて、前記第１のＰＬＣネットワークのビーコン期間を第１の複数の時間間隔に分割することと、ここにおいて、前記第１の複数の時間間隔が、前記ビーコン期間中に前記干渉レベルがいつ変化するかを示す別個の時間間隔である、
前記干渉レベルの前記変動を補償するために、前記第１の複数の時間間隔についてチャネル適応パラメータを決定することと
を備える方法。
【請求項２】
前記第１の複数の時間間隔の間に前記ＰＬＣ媒体を介してデータを送信するときに、前記チャネル適応パラメータを適用することをさらに備える、請求項１に記載の方法。
【請求項３】
前記第１の複数の時間間隔のうちの第１の時間間隔中に前記ＰＬＣ媒体を介してデータを送信することを決定することと、
前記第１の時間間隔中にデータを送信するときに、前記第１の時間間隔に関連する前記チャネル適応パラメータのうちの第１のチャネル適応パラメータを適用することと
をさらに備え、
前記第１の時間間隔が、データを送信するための２つ以上の送信機会を備える、請求項１に記載の方法。
【請求項４】
前記第２のＰＬＣネットワーク中の少なくとも１つのＰＬＣデバイスに割り振られた第２の複数の時間間隔を決定すること
をさらに備え、
前記第１の複数の時間間隔が、前記第２の複数の時間間隔にさらに基づく、請求項１に記載の方法。
【請求項５】
前記第２の複数の時間間隔を前記決定することが、時分割多元接続（ＴＤＭＡ）チャネルアクセス方式に少なくとも部分的に基づいて前記第２の複数の時間間隔を決定することを備える、請求項４に記載の方法。
【請求項６】
前記第２の複数の時間間隔を前記決定することが、前記第１のＰＬＣネットワークの前記ビーコン期間と前記第２のＰＬＣネットワークのビーコン期間との間の時間オフセットに少なくとも部分的に基づいて、前記第２の複数の時間間隔を決定することを備える、請求項４に記載の方法。
【請求項７】
前記第２の複数の時間間隔を前記決定することが、
前記第２の複数の時間間隔を示す、前記少なくとも１つのＰＬＣデバイスからのチャネル割振り情報を受信することと、
前記チャネル割振り情報に少なくとも部分的に基づいて前記第２の複数の時間間隔を決定することと
を備える、請求項４に記載の方法。
【請求項８】
前記チャネル割振り情報が、前記第２のＰＬＣネットワークによって実装されたＴＤＭＡチャネルアクセス方式に関連するチャネルアクセス情報を備える、請求項７に記載の方法。
【請求項９】
前記第２の複数の時間間隔を前記決定することが、前記少なくとも１つのＰＬＣデバイスの第１のＰＬＣデバイスと前記少なくとも１つのＰＬＣデバイスの第２のＰＬＣデバイスとの間の双方向通信を決定することを備える、請求項４に記載の方法。
【請求項１０】
前記第１の複数の時間間隔が、第１の時間間隔と第２の時間間隔とを備え、
前記チャネル適応パラメータが、前記第１の時間間隔のための第１のチャネル適応パラメータと前記第２の時間間隔のための第２の適応パラメータとを備える、請求項１に記載の方法。
【請求項１１】
前記干渉レベルの前記変動が、しきい値よりも大きい前記干渉レベルの差を備える、請求項１に記載の方法。
【請求項１２】
前記チャネル適応パラメータが、直交周波数分割多重（ＯＦＤＭ）キャリア当たりのビットの数と、ＯＦＤＭシンボル間のガードインターバルと、前方誤り訂正（ＦＥＣ）のために使用される冗長ビットの数とから成るグループから選択された少なくとも１つのメンバーを備える、請求項１に記載の方法。
【請求項１３】
前記第１の複数の時間間隔が、前記ＰＬＣ媒体の現在のチャネル状態と前記干渉レベルの前記変動とにさらに基づく、請求項１に記載の方法。
【請求項１４】
前記チャネル適応パラメータを前記決定することが、前記第１の複数の時間間隔の各々についてトーンマップ構成を決定することを備える、請求項１に記載の方法。
【請求項１５】
前記チャネル適応パラメータを前記決定した後に、
チャネル割振り情報の変動を決定するために、前記第２のＰＬＣネットワークにおける前記チャネル割振り情報を監視することと、
前記チャネル割振り情報の前記変動に基づいて前記第１の複数の時間間隔を調整することと
をさらに備える、請求項１に記載の方法。
【請求項１６】
前記チャネル割振り情報が、時分割多元接続（ＴＤＭＡ）方式に少なくとも部分的に基づく、請求項１５に記載の方法。
【請求項１７】
前記チャネル割振り情報が、キャリア検知多重アクセス（ＣＳＭＡ）方式に少なくとも部分的に基づく、請求項１５に記載の方法。
【請求項１８】
前記第２のＰＬＣネットワークの中央コーディネータからチャネル割振り情報を受信すること
をさらに備え、
前記ビーコン期間を前記分割することが、前記チャネル割振り情報にさらに基づく、請求項１に記載の方法。
【請求項１９】
前記ＰＬＣデバイスが、前記第１のＰＬＣネットワークの中央コーディネータであり、
前記第２のＰＬＣネットワークの前記中央コーディネータから前記チャネル割振り情報を前記受信することが、前記第２のＰＬＣネットワークの前記中央コーディネータから前記チャネル割振り情報を受信する前記第１のＰＬＣネットワークの前記中央コーディネータを備える、
請求項１８に記載の方法。
【請求項２０】
前記第１のＰＬＣネットワークの前記ビーコン期間が、前記第２のＰＬＣネットワークのビーコン期間からの時間オフセットを有する、請求項１に記載の方法。
【請求項２１】
電力線通信（ＰＬＣ）デバイスであって、
ネットワークインターフェースと、
第１のＰＬＣネットワークとＰＬＣ媒体を共有する第２のＰＬＣネットワークの送信からの干渉レベルの変動に少なくとも部分的に基づいて、前記第１のＰＬＣネットワークのビーコン期間を第１の複数の時間間隔に分割すること、を行うように構成されたチャネル分析ユニットと、ここにおいて、前記第１の複数の時間間隔が、前記ビーコン期間中に前記干渉レベルがいつ変化するかを示す別個の時間間隔である、
前記干渉レベルの前記変動を補償するために、前記第１の複数の時間間隔についてチャネル適応パラメータを決定すること、を行うように構成されチャネル適応ユニットと
を備えるＰＬＣデバイス。
【請求項２２】
前記チャネル適応ユニットが、前記第１の複数の時間間隔の間に前記ＰＬＣ媒体を介してデータを送信するときに、前記チャネル適応パラメータを適用するようにさらに構成された、請求項２１に記載のＰＬＣデバイス。
【請求項２３】
前記チャネル適応ユニットが、
データ送信のために前記第１の複数の時間間隔のうちの第１の時間間隔中に前記チャネル適応パラメータのうちの第１のチャネル適応パラメータを適用すること、を行うようにさらに構成され、
前記第１の時間間隔が、データを送信するための２つ以上の送信機会を備える、請求項２１に記載のＰＬＣデバイス。
【請求項２４】
前記チャネル分析ユニットが、
前記第２のＰＬＣネットワーク中の少なくとも１つのＰＬＣデバイスに割り振られた第２の複数の時間間隔を決定すること、を行うようにさらに構成され、
前記第１の複数の時間間隔が、前記第２の複数の時間間隔にさらに基づく、請求項２１に記載のＰＬＣデバイス。
【請求項２５】
前記第２の複数の時間間隔を決定するように構成された前記チャネル分析ユニットが、時分割多元接続（ＴＤＭＡ）チャネルアクセス方式に少なくとも部分的に基づいて前記第２の複数の時間間隔を決定するように構成されたチャネル分析ユニットを備える、請求項２４に記載のＰＬＣデバイス。
【請求項２６】
前記第２の複数の時間間隔を決定するように構成された前記チャネル分析ユニットが、前記第１のＰＬＣネットワークの前記ビーコン期間と前記第２のＰＬＣネットワークのビーコン期間との間の時間オフセットに少なくとも部分的に基づいて、前記第２の複数の時間間隔を決定するように構成されたチャネル分析ユニットを備える、請求項２４に記載のＰＬＣデバイス。
【請求項２７】
前記第２の複数の時間間隔を決定するように構成された前記チャネル分析ユニットが、
前記第２の複数の時間間隔を示す、前記少なくとも１つのＰＬＣデバイスからのチャネル割振り情報を受信することと、
前記チャネル割振り情報に少なくとも部分的に基づいて前記第２の複数の時間間隔を決定することと
を行うように構成されたチャネル分析ユニットを備える、請求項２４に記載のＰＬＣデバイス。
【請求項２８】
前記チャネル割振り情報が、前記第２のＰＬＣネットワークによって実装されたＴＤＭＡチャネルアクセス方式に少なくとも部分的に基づく、請求項２７に記載のＰＬＣデバイス。
【請求項２９】
前記第２の複数の時間間隔を決定するように構成された前記チャネル分析ユニットが、前記少なくとも１つのＰＬＣデバイスの第１のＰＬＣデバイスと前記少なくとも１つのＰＬＣデバイスの第２のＰＬＣデバイスとの間の双方向通信を決定するように構成されたチャネル分析ユニットをさらに備える、請求項２４に記載のＰＬＣデバイス。
【請求項３０】
前記第１の複数の時間間隔が、第１の時間間隔と第２の時間間隔とを備え、
前記チャネル適応パラメータが、前記第１の時間間隔のための第１のチャネル適応パラメータと前記第２の時間間隔のための第２のチャネル適応パラメータとを決定することを備える、請求項２１に記載のＰＬＣデバイス。
【請求項３１】
前記干渉レベルの前記変動がしきい値よりも大きい前記干渉レベルの差を備える、請求項２１に記載のＰＬＣデバイス。
【請求項３２】
前記チャネル適応パラメータが、直交周波数分割多重（ＯＦＤＭ）キャリア当たりのビットの数と、ＯＦＤＭシンボル間のガードインターバルと、前方誤り訂正（ＦＥＣ）のために使用される冗長ビットの数とから成るグループから選択された少なくとも１つのメンバーを備える、請求項２１に記載のＰＬＣデバイス。
【請求項３３】
前記第１の複数の時間間隔が、前記ＰＬＣ媒体上の現在のチャネル状態と、前記干渉レベルの前記変動とにさらに基づく、請求項２１に記載のＰＬＣデバイス。
【請求項３４】
前記チャネル適応パラメータを決定するように構成された前記チャネル適応ユニットが、前記第１の複数の時間間隔の各々についてトーンマップ構成を決定するように構成されたチャネル適応ユニットを備える、請求項２１に記載のＰＬＣデバイス。
【請求項３５】
前記チャネル分析ユニットが、
前記チャネル適応パラメータを前記決定した後に、
チャネル割振り情報の変動を決定するために前記第２のＰＬＣネットワークにおける前記チャネル割振り情報を監視することと、
前記第２のＰＬＣネットワークにおける前記チャネル割振り情報の前記変動に基づいて前記第１の複数の時間間隔を調整することと
を行うようにさらに構成された、請求項２１に記載のＰＬＣデバイス。
【請求項３６】
機械実行可能命令を記憶した非一時的機械可読記憶媒体であって、前記機械実行可能命令が、
第１の電力線通信（ＰＬＣ）ネットワークのＰＬＣデバイスにおいて、前記第１のＰＬＣネットワークとＰＬＣ媒体を共有する第２のＰＬＣネットワークの送信からの干渉レベルの変動に少なくとも部分的に基づいて、前記第１のＰＬＣネットワークのビーコン期間を第１の複数の時間間隔に分割することと、ここにおいて、前記第１の複数の時間間隔が、前記ビーコン期間中に前記干渉レベルがいつ変化するかを示す別個の時間間隔である、
前記干渉レベルの前記変動を補償するために、前記第１の複数の時間間隔についてチャネル適応パラメータを決定することと
を行うための命令を備える、非一時的機械可読記憶媒体。
【請求項３７】
前記第１の複数の時間間隔の間に前記ＰＬＣ媒体を介してデータを送信するときに、前記チャネル適応パラメータを適用するための命令をさらに備える、請求項３６に記載の非一時的機械可読記憶媒体。
【請求項３８】
前記ＰＬＣ媒体を介した前記送信のための前記第２のＰＬＣネットワーク中の少なくとも１つのＰＬＣデバイスに割り振られた第２の複数の時間間隔を決定すること、を行うための命令をさらに備え、
前記第１の複数の時間間隔が、前記第２の複数の時間間隔にさらに基づく、請求項３６に記載の非一時的機械可読記憶媒体。
【請求項３９】
前記第２の複数の時間間隔を決定するための前記命令が、
前記第２の複数の時間間隔を示す、前記少なくとも１つのＰＬＣデバイスからのチャネル割振り情報を受信することと、
前記チャネル割振り情報に少なくとも部分的に基づいて前記第２の複数の時間間隔を決定することと
を行うための命令を備える、請求項３８に記載の非一時的機械可読記憶媒体。
【請求項４０】
前記チャネル適応パラメータを決定するための前記命令が、前記第１の複数の時間間隔の各々についてトーンマップ構成を決定するための命令を備える、請求項３６に記載の非一時的機械可読記憶媒体。
【手続補正２】
【補正対象書類名】明細書
【補正対象項目名】００９０
【補正方法】変更
【補正の内容】
【００９０】
[0095]本明細書で単一の事例として説明した構成要素、動作、または構造について、複数の事例が提供され得る。最後に、様々な構成要素と、動作と、データストアとの間の境界はいくぶん恣意的であり、特定の動作が、特定の例示的な構成のコンテキストで示されている。機能の他の割振りが想定され、本発明の主題の範囲内に入り得る。概して、例示的な構成において別個の構成要素として提示された構造および機能は、組み合わされた構造または構成要素として実装され得る。同様に、単一の構成要素として提示された構造および機能は、別個の構成要素として実装され得る。これらおよび他の変形、修正、追加、および改善は、本発明の主題の範囲内に入り得る。
以下に、本願出願の当初の特許請求の範囲に記載された発明を付記する。
［Ｃ１］
第１の電力線通信ネットワークに関連する電力線通信デバイスにおいて、前記第１の電力線通信ネットワークと電力線通信媒体を共有する第２の電力線通信ネットワークからの干渉レベルの変動に少なくとも部分的に基づいて、前記第１の電力線通信ネットワークのビーコン期間中の複数の時間間隔を決定することと、
前記第２の電力線通信ネットワークからの前記干渉レベルの変動の影響を補償するために、前記ビーコン期間中の前記複数の時間間隔の各々について少なくとも１つのチャネル適応パラメータを決定することと
を備える方法。
［Ｃ２］
前記第１の電力線通信ネットワークの前記ビーコン期間中の前記複数の時間間隔を前記決定することが、前記第２の電力線通信ネットワークからの変動する干渉レベルに少なくとも部分的に基づいて、前記第１の電力線通信ネットワークの前記ビーコン期間を前記複数の時間間隔に分割することを備える、Ｃ１に記載の方法。
［Ｃ３］
前記複数の時間間隔のうちの前記少なくとも１つの間に前記電力線通信媒体を介してデータを送信するときに、前記ビーコン期間中の前記複数の時間間隔のうちの少なくとも１つに対応する前記少なくとも１つのチャネル適応パラメータを適用することをさらに備える、Ｃ１に記載の方法。
［Ｃ４］
前記ビーコン期間中の前記複数の時間間隔のうちの第１の時間間隔中に前記電力線通信媒体を介してデータを送信することを決定することと、
前記第１の時間間隔中にデータを送信するときに、前記第１の時間間隔に対応する前記少なくとも１つのチャネル適応パラメータを適用することと
をさらに備える、Ｃ１に記載の方法。
［Ｃ５］
前記第１の電力線通信ネットワークの前記ビーコン期間中の前記複数の時間間隔を前記決定することが、
前記電力線通信媒体を介した送信のための前記第２の電力線通信ネットワーク中の１つまたは複数の電力線通信デバイスに割り振られた１つまたは複数の時間間隔を決定することと、
前記１つまたは複数の時間間隔に少なくとも部分的に基づいて前記第１の電力線通信ネットワークの前記ビーコン期間中の前記複数の時間間隔を決定することと
を備える、Ｃ１に記載の方法。
［Ｃ６］
前記１つまたは複数の時間間隔を前記決定することが、時分割多元接続（ＴＤＭＡ）チャネルアクセス方式に従う前記第２の電力線通信ネットワークにおける送信のための前記１つまたは複数の電力線通信デバイスに割り振られた前記１つまたは複数の時間間隔を決定することを備える、Ｃ５に記載の方法。
［Ｃ７］
前記１つまたは複数の時間間隔を前記決定することが、時分割多元接続（ＴＤＭＡ）チャネルアクセス方式ならびに前記第１の電力線通信ネットワークの前記ビーコン期間と前記第２の電力線通信ネットワークのビーコン期間との間の時間オフセットに従う、前記第２の電力線通信ネットワークにおける送信のための、前記１つまたは複数の電力線通信デバイスに割り振られた前記１つまたは複数の時間間隔を決定することを備える、Ｃ５に記載の方法。
［Ｃ８］
前記１つまたは複数の時間間隔を前記決定することが、
前記電力線通信媒体を介した送信のための前記第２の電力線通信ネットワーク中の前記１つまたは複数の電力線通信デバイスに割り振られた前記１つまたは複数の時間間隔を示す、前記第２の電力線通信ネットワーク中の前記１つまたは複数の電力線通信デバイスからのチャネル割振り情報を受信することと、
前記チャネル割振り情報に少なくとも部分的に基づいて前記１つまたは複数の時間間隔を決定することと
を備える、Ｃ５に記載の方法。
［Ｃ９］
前記チャネル割振り情報が、前記第２の電力線通信ネットワークにおいて実装されたＴＤＭＡチャネルアクセス方式に関連するチャネルアクセス情報を備える、Ｃ８に記載の方法。
［Ｃ１０］
前記１つまたは複数の時間間隔を前記決定することが、前記第２の電力線通信ネットワークにおいて、送信電力線通信デバイスと受信電力線通信デバイスとの間の双方向通信交換を決定することをさらに備える、Ｃ５に記載の方法。
［Ｃ１１］
前記第１の電力線通信ネットワークの前記ビーコン期間中の前記複数の時間間隔を前記決定することは、異なるチャネル適応パラメータがそれらについて別個に決定され得る前記複数の時間間隔へと前記ビーコン期間を分割することを備える、Ｃ１に記載の方法。
［Ｃ１２］
前記干渉レベルの変動が前記干渉レベルの差を含み、前記干渉レベルの前記差があらかじめ定義されたしきい値よりも大きい、Ｃ１に記載の方法。
［Ｃ１３］
前記少なくとも１つのチャネル適応パラメータが、直交周波数分割多重（ＯＦＤＭ）キャリア当たりのビットの数と、ＯＦＤＭシンボル間のガードインターバルと、前方誤り訂正（ＦＥＣ）のために使用される冗長ビットの数とのうちの少なくとも１つを備える、Ｃ１に記載の方法。
［Ｃ１４］
前記第１の電力線通信ネットワークの前記ビーコン期間中の前記複数の時間間隔を前記決定することが、
前記電力線通信媒体上の現在のチャネル状態と、前記第２の電力線通信ネットワークからの前記干渉レベルの変動とに少なくとも部分的に基づいて、前記複数の時間間隔を決定すること
を備える、Ｃ１に記載の方法。
［Ｃ１５］
前記第２の電力線通信ネットワークからの前記干渉レベルの変動の影響を補償するために、前記ビーコン期間中の前記複数の時間間隔の各々について前記少なくとも１つのチャネル適応パラメータを前記決定することが、前記第２の電力線通信ネットワークからの前記干渉レベルの変動の影響を補償するために、前記ビーコン期間中の前記複数の時間間隔の各々についてトーンマップ構成を決定することを備える、Ｃ１に記載の方法。
［Ｃ１６］
前記ビーコン期間中の前記複数の時間間隔を決定することと、前記複数の時間間隔の各々について前記少なくとも１つのチャネル適応パラメータを決定することとの後に、
前記第２の電力線通信ネットワークにおけるチャネル割振り情報を監視することと、
前記チャネル割振り情報の変動に基づいて前記複数の時間間隔を調整することと
をさらに備える、Ｃ１に記載の方法。
［Ｃ１７］
前記チャネル割振り情報が、時分割多元接続（ＴＤＭＡ）方式によるチャネル割振り情報を備える、Ｃ１６に記載の方法。
［Ｃ１８］
前記チャネル割振り情報が、キャリア検知多重アクセス（ＣＳＭＡ）方式によるチャネル割振り情報を備える、Ｃ１６に記載の方法。
［Ｃ１９］
電力線通信デバイスであって、
ネットワークインターフェースと、
第１の電力線通信ネットワークと電力線通信媒体を共有する第２の電力線通信ネットワークからの干渉レベルの変動に少なくとも部分的に基づいて、前記第１の電力線通信ネットワークのビーコン期間中の複数の時間間隔を決定すること、を行うように構成されたチャネル分析ユニットと、
前記第２の電力線通信ネットワークからの前記干渉レベルの変動の影響を補償するために、前記ビーコン期間中の前記複数の時間間隔の各々について少なくとも１つのチャネル適応パラメータを決定すること、を行うように構成されチャネル適応ユニットと
を備える電力線通信デバイス。
［Ｃ２０］
前記第１の電力線通信ネットワークの前記ビーコン期間中の前記複数の時間間隔を決定するように構成された前記チャネル分析ユニットが、前記第２の電力線通信ネットワークからの変動する干渉レベルに少なくとも部分的に基づいて、前記第１の電力線通信ネットワークの前記ビーコン期間を前記複数の時間間隔に分割するように構成されたチャネル分析ユニットを備える、Ｃ１９に記載の電力線通信デバイス。
［Ｃ２１］
前記チャネル適応ユニットが、前記複数の時間間隔のうちの前記少なくとも１つの間に前記電力線通信媒体を介してデータを送信するときに、前記ビーコン期間中の前記複数の時間間隔のうちの少なくとも１つに対応する前記少なくとも１つのチャネル適応パラメータを適用するようにさらに構成された、Ｃ１９に記載の電力線通信デバイス。
［Ｃ２２］
前記チャネル適応ユニットが、
前記ビーコン期間中の前記複数の時間間隔のうちの第１の時間間隔中に前記電力線通信媒体を介してデータを送信することを決定することと、
前記第１の時間間隔中にデータを送信するときに、前記第１の時間間隔に対応する前記少なくとも１つのチャネル適応パラメータを適用することと
を行うようにさらに構成された、Ｃ１９に記載の電力線通信デバイス。
［Ｃ２３］
前記第１の電力線通信ネットワークの前記ビーコン期間中の前記複数の時間間隔を決定するように構成された前記チャネル分析ユニットが、
前記電力線通信媒体を介した送信のための前記第２の電力線通信ネットワーク中の１つまたは複数の電力線通信デバイスに割り振られた１つまたは複数の時間間隔を決定することと、
前記１つまたは複数の時間間隔に少なくとも部分的に基づいて前記第１の電力線通信ネットワークの前記ビーコン期間中の前記複数の時間間隔を決定することと
を行うように構成されたチャネル分析ユニットを備える、Ｃ１９に記載の電力線通信デバイス。
［Ｃ２４］
前記１つまたは複数の時間間隔を決定するように構成された前記チャネル分析ユニットが、時分割多元接続（ＴＤＭＡ）チャネルアクセス方式に従う前記第２の電力線通信ネットワークにおける前記送信のための前記１つまたは複数の電力線通信デバイスに割り振られた前記１つまたは複数の時間間隔を決定するように構成されたチャネル分析ユニットを備える、Ｃ２３に記載の電力線通信デバイス。
［Ｃ２５］
前記１つまたは複数の時間間隔を決定するように構成された前記チャネル分析ユニットが、時分割多元接続（ＴＤＭＡ）チャネルアクセス方式ならびに前記第１の電力線通信ネットワークの前記ビーコン期間と前記第２の電力線通信ネットワークのビーコン期間との間の時間オフセットに従う、前記第２の電力線通信ネットワークにおける送信のための、前記１つまたは複数の電力線通信デバイスに割り振られた前記１つまたは複数の時間間隔を決定するように構成されたチャネル分析ユニットを備える、Ｃ２３に記載の電力線通信デバイス。
［Ｃ２６］
前記１つまたは複数の時間間隔を決定するように構成された前記チャネル分析ユニットが、
前記電力線通信媒体を介した送信のための前記第２の電力線通信ネットワーク中の前記１つまたは複数の電力線通信デバイスに割り振られた前記１つまたは複数の時間間隔を示す、前記第２の電力線通信ネットワーク中の前記１つまたは複数の電力線通信デバイスからのチャネル割振り情報を受信することと、
前記チャネル割振り情報に少なくとも部分的に基づいて前記１つまたは複数の時間間隔を決定することと
を行うように構成されたチャネル分析ユニットを備える、Ｃ２３に記載の電力線通信デバイス。
［Ｃ２７］
前記チャネル割振り情報が、前記第２の電力線通信ネットワークにおいて実装されたＴＤＭＡチャネルアクセス方式に関連するチャネルアクセス情報を備える、Ｃ２６に記載の電力線通信デバイス。
［Ｃ２８］
前記１つまたは複数の時間間隔を決定するように構成された前記チャネル分析ユニットが、前記第２の電力線通信ネットワークにおいて、送信電力線通信デバイスと受信電力線通信デバイスとの間の双方向通信交換を決定するように構成されたチャネル分析ユニットをさらに備える、Ｃ２３に記載の電力線通信デバイス。
［Ｃ２９］
前記第１の電力線通信ネットワークの前記ビーコン期間中の前記複数の時間間隔を決定するように構成された前記チャネル分析ユニットは、異なるチャネル適応パラメータがそれらについて別個に決定され得る前記複数の時間間隔へと前記ビーコン期間を分割することを備える、Ｃ１９に記載の電力線通信デバイス。
［Ｃ３０］
前記干渉レベルの変動が前記干渉レベルの差を含み、前記干渉レベルの前記差があらかじめ定義されたしきい値よりも大きい、Ｃ１９に記載の電力線通信デバイス。
［Ｃ３１］
前記少なくとも１つのチャネル適応パラメータが、直交周波数分割多重（ＯＦＤＭ）キャリア当たりのビットの数と、ＯＦＤＭシンボル間のガードインターバルと、前方誤り訂正（ＦＥＣ）のために使用される冗長ビットの数とのうちの少なくとも１つを備える、Ｃ１９に記載の電力線通信デバイス。
［Ｃ３２］
前記第１の電力線通信ネットワークの前記ビーコン期間中の前記複数の時間間隔を決定するように構成された前記チャネル分析ユニットが、
前記電力線通信媒体上の現在のチャネル状態と、前記第２の電力線通信ネットワークからの前記干渉レベルの変動とに少なくとも部分的に基づいて、前記複数の時間間隔を決定すること
を行うように構成されたチャネル分析ユニットを備える、Ｃ１９に記載の電力線通信デバイス。
［Ｃ３３］
前記第２の電力線通信ネットワークからの前記干渉レベルの変動の影響を補償するために、前記ビーコン期間中の前記複数の時間間隔の各々について前記少なくとも１つのチャネル適応パラメータを決定するように構成された前記チャネル適応ユニットが、前記第２の電力線通信ネットワークからの前記干渉レベルの変動の影響を補償するために、前記ビーコン期間中の前記複数の時間間隔の各々についてトーンマップ構成を決定するように構成されたチャネル適応ユニットを備える、Ｃ１９に記載の電力線通信デバイス。
［Ｃ３４］
前記チャネル分析ユニットが、
前記ビーコン期間中の前記複数の時間間隔を決定することと、前記複数の時間間隔の各々について前記少なくとも１つのチャネル適応パラメータを決定することとの後に、
前記第２の電力線通信ネットワークにおけるチャネル割振り情報を監視することと、
前記第２の電力線通信ネットワークにおける前記チャネル割振り情報の変動に基づいて前記複数の時間間隔を調整することと
を行うようにさらに構成された、Ｃ１９に記載の電力線通信デバイス。
［Ｃ３５］
機械実行可能命令を記憶した非一時的機械可読記憶媒体であって、前記機械実行可能命令が、
第１の電力線通信ネットワークに関連する電力線通信デバイスにおいて、前記第１の電力線通信ネットワークと電力線通信媒体を共有する第２の電力線通信ネットワークからの干渉レベルの変動に少なくとも部分的に基づいて、前記第１の電力線通信ネットワークのビーコン期間中の複数の時間間隔を決定することと、
前記第２の電力線通信ネットワークからの前記干渉レベルの変動の影響を補償するために、前記ビーコン期間中の前記複数の時間間隔の各々について少なくとも１つのチャネル適応パラメータを決定することと
を行うための命令を備える、非一時的機械可読記憶媒体。
［Ｃ３６］
前記第１の電力線通信ネットワークの前記ビーコン期間中の前記複数の時間間隔を決定するための前記命令が、前記第２の電力線通信ネットワークからの変動する干渉レベルに少なくとも部分的に基づいて、前記第１の電力線通信ネットワークの前記ビーコン期間を前記複数の時間間隔に分割するための命令を備える、Ｃ３５に記載の機械可読記憶媒体。
［Ｃ３７］
前記複数の時間間隔のうちの前記少なくとも１つの間に前記電力線通信媒体を介してデータを送信するときに、前記ビーコン期間中の前記複数の時間間隔のうちの少なくとも１つに対応する前記少なくとも１つのチャネル適応パラメータを適用するための命令をさらに備える、Ｃ３５に記載の機械可読記憶媒体。
［Ｃ３８］
前記第１の電力線通信ネットワークの前記ビーコン期間中の前記複数の時間間隔を決定するための前記命令が、
前記電力線通信媒体を介した送信のための前記第２の電力線通信ネットワーク中の１つまたは複数の電力線通信デバイスに割り振られた１つまたは複数の時間間隔を決定することと、
前記１つまたは複数の時間間隔に少なくとも部分的に基づいて前記第１の電力線通信ネットワークの前記ビーコン期間中の前記複数の時間間隔を決定することと
を行うための命令を備える、Ｃ３５に記載の機械可読記憶媒体。
［Ｃ３９］
前記１つまたは複数の時間間隔を決定するための前記命令が、
前記電力線通信媒体を介した送信のための前記第２の電力線通信ネットワーク中の前記１つまたは複数の電力線通信デバイスに割り振られた前記１つまたは複数の時間間隔を示す、前記第２の電力線通信ネットワーク中の前記１つまたは複数の電力線通信デバイスからのチャネル割振り情報を受信することと、
前記チャネル割振り情報に少なくとも部分的に基づいて前記１つまたは複数の時間間隔を決定することと
を行うための命令を備える、Ｃ３８に記載の機械可読記憶媒体。
［Ｃ４０］
前記第２の電力線通信ネットワークからの前記干渉レベルの変動の影響を補償するために、前記ビーコン期間中の前記複数の時間間隔の各々について前記少なくとも１つのチャネル適応パラメータを決定するための前記命令が、前記第２の電力線通信ネットワークからの前記干渉レベルの変動の影響を補償するために、前記ビーコン期間中の前記複数の時間間隔の各々についてトーンマップ構成を決定するための命令を備える、Ｃ３５に記載の機械可読記憶媒体。